(57)【要約】【課題】同じ字でも太さとかはね方などを異ならせて所定文字を出力する。【解決手段】コンピュータを、同一文字に対応する複数のフォントを格納する記憶手段、所定文字列を出力する出力手段、前記出力手段に所定文字列を出力する場合、その所定文字列を構成する各文字を、その文字に対応する前記複数のフォントのうち所定規則により選択されるフォントで出力する手段、として機能させるための文字列出力プログラム。前記出力手段は例えば、所定文字列を表示するディスプレイである。また、前記出力手段は所定文字列を印刷するプリンタであってもよい。【選択図】図１
2005345899.tif 000002
【特許請求の範囲】
【請求項１】
コンピュータを、
同一文字に対応する複数のフォントを格納する記憶手段、
出力手段に所定文字列を出力する場合、その所定文字列を構成する各文字を、その文字に対応する前記複数のフォントのうち所定規則により選択されるフォントで出力する手段、
として機能させるための文字列出力プログラム。
【請求項２】
前記出力手段は所定文字列を表示するディスプレイである請求項１に記載の文字列出力プログラム。
【請求項３】
前記出力手段は所定文字列を印刷するプリンタである請求項１に記載の文字列出力プログラム。
【請求項４】
所定文字列を構成する各文字とその文字に対応する前記複数のフォントのうち所定規則により選択されるフォントとの対応関係を保存する手段、をさらに備える請求項１から３のいずれかに記載の文字列出力プログラム。
【請求項５】
前記文字は、数字、記号、又はスペースを含む請求項１から４のいずれかに記載の文字列出力プログラム。
【請求項６】
請求項１から５のいずれかに記載の文字列出力プログラムを格納したコンピュータ読み取り可能な記録媒体。
【請求項７】
同一文字に対応する複数のフォントを格納する記憶手段と、
出力手段に所定文字列を出力する場合、その所定文字列を構成する各文字を、その文字に対応する前記複数のフォントのうち所定規則により選択されるフォントで出力する手段と、
を備える文字列出力装置。
【請求項８】
同一文字に対応する複数のフォントを格納する記憶手段を備えるコンピュータによって所定文字列を出力する方法であって、
出力手段に所定文字列を出力する場合、その所定文字列を構成する各文字を、その文字に対応する前記複数のフォントのうち所定規則により選択されるフォントで出力する文字列出力方法。
【請求項９】
コンピュータを、
出力手段に所定文字列を出力する場合、その所定文字列を構成する各文字を、その文字に対応する基本フォントを所定規則で算出して得られるフォントで出力する手段、
として機能させるための文字列出力プログラム。
【発明の詳細な説明】
【技術分野】
【０００１】
本発明は、所定文字列をディスプレイやプリンタに出力するための技術に関する。
【背景技術】
【０００２】
従来、販売促進等の目的から各種ＤＭ（ダイレクトメール）を顧客宛に送付することが行われている。しかしながら、一般的に、ＤＭ（ダイレクトメール）においては、その宛名や住所などが同一フォントの文字列で表現されていることから、他のＤＭ（ダイレクトメール）との差別化を図ることが難しく、顧客の注意を引きにくくなっている。一方、宛名や住所などが手書きのＤＭ（ダイレクトメール）は、比較的顧客の注意を引きやすく、閲読率が高いということが知られている。
【０００３】
本出願の発明者はこの点に着目し、次の着想を得た。すなわち、筆文字フォントでは、同じ字はまったく同じに印刷されるが、手書きでは、同じ字でも太さとかはね方が微妙に違い、その違いがゆらぎとなって、顧客の注意を引きつけ、ＤＭ（ダイレクトメール）を閲読してみようという気にさせるのではないか。そして、本出願の発明者は、この着想をもとに、同じ字でも大きさとかはね方を異ならせて出力することで、手書き文字と同様の表現ができる技術を開発した。
本発明に関連すると考えられるものとして例えば非特許文献１がある。 
【非特許文献１】大島  篤著「見てわかるパソコン解体新書Ｖｏｌ．３」、ソフトバンクパブリッシング株式会社発行、１９９９年１０月１５日初版発行、ｐ．１１０−１１７
【発明の開示】
【発明が解決しようとする課題】
【０００４】
本発明の課題は、同じ字でも太さとかはね方などを異ならせて所定文字を出力することで、手書き文字と同様の表現ができる技術を提供することにある。
【課題を解決するための手段】
【０００５】
本発明は、上記課題を解決するためになされたものであり、コンピュータを、同一文字に対応する複数のフォントを格納する記憶手段、出力手段に所定文字列を出力する場合、その所定文字列を構成する各文字を、その文字に対応する前記複数のフォントのうち所定規則により選択されるフォントで出力する手段、として機能させるための文字列出力プログラムとした。
【０００６】
本発明によれば、所定文字列を構成する各文字が、その文字に対応する複数のフォントのうち所定規則により選択されるフォントで出力されることになることから、例えば、同一文字に対応する複数のフォントとしてはね方のことなる３種類のフォントを用意しておくことで、同じ字でも太さとかはね方などを異ならせて所定文字を出力することが可能となる。すなわち、手書き文字と同様の表現が可能となる。
【０００７】
上記文字列出力プログラムにおいては、例えば、前記出力手段は所定文字列を表示するディスプレイである。
これは、出力手段の一例を示したものである。従って、本発明の出力手段はこれに限定されない。例えば、前記出力手段は所定文字列を印刷するプリンタであってもよい。
【０００８】
所定文字列を構成する各文字とその文字に対応する前記複数のフォントのうち所定規則により選択されるフォントとの対応関係を保存する手段、をさらに備える。
このようにすれば、保存した所定文字列を再度繰り返し出力することが可能となる。
【０００９】
上記文字列出力プログラムにおいては、例えば、前記文字は、数字、記号、又はスペースを含む。
これは、本発明の「文字」がいわゆる文字だけでなく、数字、記号、又はスペースを含むことを明らかにしたものである。
【００１０】
本発明は、上記上記文字列出力プログラムを格納したコンピュータ読み取り可能な記録媒体としても特定することができる。
ここでいう記録媒体とは、ＣＤ−ＲＯＭ、ＤＶＤ−ＲＯＭ、ＦＤ、メモリカードに代表される記録媒体をいう。
【００１１】
本発明は、装置の発明として次のように特定することもできる。
同一文字に対応する複数のフォントを格納する記憶手段と、出力手段に所定文字列を出力する場合、その所定文字列を構成する各文字を、その文字に対応する前記複数のフォントのうち所定規則により選択されるフォントで出力する手段と、を備える文字列出力装置。
【００１２】
本発明は、方法の発明として次のように特定することもできる。
同一文字に対応する複数のフォントを格納する記憶手段を備えるコンピュータによって所定文字列を出力する方法であって、前記出力手段に所定文字列を出力する場合、その所定文字列を構成する各文字を、その文字に対応する前記複数のフォントのうち所定規則により選択されるフォントで出力する文字列出力方法。
【００１３】
また、本発明は、プログラムの発明として次のように特定することもできる。
コンピュータを、前記出力手段に所定文字列を出力する場合、その所定文字列を構成する各文字を、その文字に対応する基本フォントを所定規則で算出して得られるフォントで出力する手段、として機能させるための文字列出力プログラム。
【発明の効果】
【００１４】
本発明によれば、同じ字でも太さとかはね方などを異ならせて所定文字を出力することで、手書き文字と同様の表現ができる。例えば、同じ字でも太さとかはね方が微妙に違うように宛名や住所などを表現することが可能となることから、それがゆらぎとなって、顧客の注意を引きつけ、ＤＭ（ダイレクトメール）等の閲読率を高めることが期待できる。
【発明を実施するための最良の形態】
【００１５】
本発明の一実施形態である文字列表示システムについて図面を参照しながら説明する。図１は、本発明の一実施形態である文字列表示システムの概略を説明するための図である。
【００１６】
本実施形態の文字列表示システムは、情報処理装置１０、出力手段２０、及び記憶手段３０などを備えている。
情報処理装置１０は、一般的なパーソナルコンピュータなどの情報処理装置であり、ＣＰＵなどの制御装置、メモリ、キーボードなどを備えている。また情報処理装置１０は、記憶手段３０を内蔵していることもあるし、外付けの記憶手段３０が接続されていることもある。
【００１７】
出力手段２０は、ＣＲＴディスプレイや液晶ディスプレイなどの画像表示装置、あるいはプリンタなどの印刷装置である。出力手段２０は、情報処理装置１０に接続されており、情報処理装置１０から入力される所定文字列などの各種情報を表示したりあるいは印刷
したりする。
【００１８】
記憶手段３０は、ハードディスク装置などの比較的大容量の記憶装置であり、本発明の同一文字に対応する複数のフォントや、以下の処理を実行するためのプログラムやデータなどが格納されている。図１に示すように、記憶手段３０には、同一文字に対応する複数のフォント（図１では３つのフォントを例示）が格納されている。例えば、同一文字「あ」に着目すると、フォント１の「あ」、フォント２の「あ」、フォント３の「あ」が格納されている。これは、いわゆる筆文字のフォントであって、フォントごとに異なる印象を与えるようにはねかた等を変化させている。なお、同一のフォントについては同一の印象を与えるようにはねかたにも傾向をもたせている。なお、筆文字だけでなく、丸文字系であってもよい。丸文字系のフォントとすれば、子供ほど字の振動幅が大きいので、子供らしさを表現することが可能となる。あるいは、斜体文字、太字、細字などのフォントであってもよい。その他、各種のフォントを組み合わせることも無論可能である。
【００１９】
他の文字についても同様である。なお、ここでいう文字とは、平仮名、カタカナ、漢字、アルファベットなどのいわゆる文字に限られず、数字、漢数字、記号、スペースなど、コンピュータにおいていわゆる文字と同様に扱われるあらゆるものを含む意味で用いている。なお、ここでは説明の都合上３つのフォントを例示したが、本発明はこれに限定されない。例えば、２つのフォントであってもよいし、４つ、あるいはそれ以上のフォントであってもよい。
【００２０】
次に、上記構成のコンピュータシステムの動作について図面を参照しながら説明する。図２は、上記コンピュータシステムの動作を説明するためのフローチャートである。
本フローチャートに示す処理は、情報処理装置１０に記憶手段３０に格納されているプログラムが読み込まれて実行されることにより実現される。
【００２１】
まず、情報処理装置１０において、例えば、ワードプロセッサが起動され、キーボードから所定文字列が入力（あるいは記憶装置から所定文字列が記録されたファイルが読み出）されたとする（Ｓ１０）。
【００２２】
情報処理装置１０は、その入力された所定文字列を構成する各文字を、その文字に対応する複数のフォント（図３はフォント１〜３を例示）のうち所定規則により選択されるフォントでディスプレイ１０に表示する（Ｓ１１〜Ｓ１４）。例えば、ユーザーからフォント変換の要求（入力）があった場合にＳ１１以下の処理を行うことが考えられる。
【００２３】
ここで、所定規則としては、次のものが考えられる。
（１）規則方式
これは、所定文字列を構成する各文字を、最初の文字についてはパターン１のフォントで、次の文字についてはパターン２のフォントで、次の文字についてはパターン３のフォントで、次の文字についてはパターン１のフォントで、次の文字についてはパターン２のフォントで、次の文字についてはパターン３のフォントで（以降この繰り返し）それぞれ表示するというように、規則正しくフォントを出現させるという方式である。
（２）白色雑音方式
これは、所定文字列を構成する各文字について、1字ずつランダムにフォントを決めて
表示する方式である。
（３）比例雑音方式
これは、最初の文字についてはパターン１のフォントで表示するとすれば、次の文字については（１（パターン１の１）＋（−１、０、＋１からランダムに選択した一つ））のフォントで（以降この繰り返し）表示する方式である。例えば、＋1が選択されれば、（
１（パターン１の１）＋（−１、０、＋１からランダムに選択した一つ））は２となるか
ら、次の文字についてはパターン２のフォントで表示される。また、その後、０が選択されれば、（２（パターン２の２）＋（−１、０、＋１からランダムに選択した一つ））は２となるから、次の文字についてはまたパターン２のフォントで表示される。
（４）ウエイト方式
各フォントの出現率のウエイトが変えられるようにする。
【００２４】
例えばフォント１の出現率が７０％（確率）、フォント２の出現率が２０％（確率）、フォント３の出現率が１０％（確率）と設定する。例えば、所定文字列を構成する各文字について、１から１０（整数）の範囲でランダムに数字を選択する。そして、１から７が選択されれば、その文字についてはフォント１で、８，９が選択されれば、その文字についてはフォント２で、１０が選択されれば、その文字についてはフォント３で表示する。
【００２５】
このようにすれば、各フォントの出現率を変化させることが可能となる。
（５）f分の1方式
これは、ウエイト方式の変形であるが、出現率を1：1／2：1／3となるようにすれば、
ゆらぎの効果を得ることが可能である。例えば、図１に示すように、３つのフォントであれば、出現率は、54．5％、27．3％、18．2％となる。なお、４つのフォントであれば、1：1／2：1／3：1／4となる。
【００２６】
この方式は次の考え方に基づく。すなわち、人は、星のまたたきに感動するが、信号の点滅には感動しない。まったく規則正しくくりかえされるということは、自然界ではない。この方式で、出現率にゆらぎを持たせることで、人々にやすらぎを覚えさせる所定文字の表示を行うことが可能となる。
【００２７】
上記の所定規則は予め（例えばＳ１０の実行前に）ユーザーに選択されてその選択結果を設定値として保存しておいてもよいし（Ｓ１１：Ｙｅｓ）、あるいは上記の所定規則を必要に応じてユーザーに選択させるようにしてもよい（Ｓ１１：Ｎｏ、Ｓ１２）。
【００２８】
情報処理装置１０は、上記の所定規則のいずれかが予めユーザーに選択されてその選択結果が保存されている場合には（Ｓ１１：Ｙｅｓ）、Ｓ１０で入力された所定文字列を構成する各文字を、その文字に対応する複数のフォント（図３はフォント１〜３を例示）のうちその保存されている所定規則により（所定規則に従って）選択されるフォントでディスプレイ１０に表示する（Ｓ１３、Ｓ１４）。
【００２９】
一方、情報処理装置１０は、上記の所定規則が選択された場合には（Ｓ１１：Ｎｏ、Ｓ１２）、Ｓ１０で入力された所定文字列を構成する各文字を、その文字に対応する複数のフォント（図３はフォント１〜３を例示）のうちその選択された所定規則により（所定規則に従って）選択されるフォントでディスプレイ１０に表示する（Ｓ１３、Ｓ１４）。
【００３０】
また、例えば、ユーザーから印刷の要求（入力）があった場合には、上記フォント変換されて表示されている所定文字列をプリンタ１０から出力する。
また、例えば、ユーザーから保存の要求（入力）があった場合には、上記フォント変換されて表示されている所定文字列をその各文字のフォントを指定する指定データとともに記憶手段３０に記憶する。このようにすれば、所定文字列に対してどのフォントが使われたが保存できるので、まったく同じように、何回もプリントすることが可能となる。
【００３１】
以上説明したように、本実施形態の文字列表示システムによれば、次の効果を奏する。
第一に、同一フォントの文字列で表現されるＤＭ（ダイレクトメール）は、大抵、企業からの一方的な情報伝達にすぎない。しかしながら、所定文字列を構成する各文字を、その文字に対応する複数のフォント（図３はフォント１〜３を例示）のうち所定規則により
選択されるフォントで出力する（例えばプリンタ１０で印刷する）ことで、手書きに近づけることにより、思い、感情というもの相手に伝えることが可能となる。
【００３２】
第二に、ＤＭ（ダイレクトメール）を読んでもらえるかどうかは、これを手に取った数秒（一般に１秒間）で決まると言われている。本実施形態の文字列表示システムによれば、所定文字列を構成する各文字を、その文字に対応する複数のフォント（図３はフォント１〜３を例示）のうち所定規則により選択されるフォントで出力する（例えばプリンタ１０で印刷する）ことが可能となるので、既存の同一フォントの文字列で表現されるＤＭ（ダイレクトメール）に比べて、ＤＭ（ダイレクトメール）に接した瞬間に、「あれ？普通のワープロと何か違うぞと？」思わせることができることから、閲読してもらえる可能性が高まる。
【００３３】
第三に、印刷毎に使用文字を変えることができるので、例えば同一文字に対応して３種類のフォントを用意すれば、１０文字でも、3の10乗通りの違う印刷ができることから、
機密書類等で、配布するときに、1人1人に違う印刷をわたすことが可能となる。これにより、仮にそれのコピーがでまわったとしても、予めそのコピーを配布した者を記録（例えばコピーか控えをとっておく）しておけば、そのコピーが配布された者を特定することが可能となる。
【００３４】
第四に、主になるフォントを決めておき、これをレギュラーとして、イレギュラーの文字を指定の出現率で発生させることにすれば、かぎりなく通常のワープロ（出現率0なら
まさに通常のワープロ）に近くも、かぎりなくみだれた書体にすることも可能となる。
（変形例）
上記実施形態の文字列表示システムにおいては、同一文字に対応する複数のフォント（図１では３つのフォントを例示）が格納されているように説明したが、本発明はこれに限定されない。例えば、平仮名については３種類のフォントを設け、漢字については２種類のフォントを設けるようにしてもよい。
【００３５】
また、上記実施形態の文字列表示システムにおいては、情報処理装置１０は、入力された所定文字列を構成する各文字を、その文字に対応する複数のフォント（図３はフォント１〜３を例示）のうち所定規則により選択されるフォントでディスプレイ１０に表示する（Ｓ１１〜Ｓ１４）ように説明したが、本発明はこれに限定されない。
【００３６】
例えば、読みやすさとのバランスを考慮すれば、情報処理装置１０は、入力された所定文字列を構成する各文字のうちの特定の文字のみ（例えば平仮名のみ）を、その文字に対応する複数のフォント（図３はフォント１〜３を例示）のうち所定規則により選択されるフォントでディスプレイ１０に表示し、それ以外の文字（例えば漢字）については特定のフォント（同一のフォント）で表示するようにしてもよい。
【００３７】
また、上記実施形態の文字列表示システムにおいては、同一文字に対応する複数のフォント（図１では３つのフォントを例示）を格納しておき、情報処理装置１０は、所定文字列を構成する各文字を、その文字に対応する複数のフォント（図３はフォント１〜３を例示）のうち所定規則により選択されるフォントでディスプレイ１０に表示する（Ｓ１１〜Ｓ１４）ように説明したが、本発明はこれに限定されない。例えば、情報処理装置１０は、所定文字列を構成する各文字を、その文字に対応する基本フォントを所定規則（例えば基本フォントの文字幅やはね方を算出する計算式など）により処理して得られるフォントでディスプレイ１０に表示するものであってもよい。
【００３８】
また、上記実施形態の文字列表示システムにおいては、同一文字に対応する複数のフォントに代えて複数の音声ファイル（例えば同一文字「あ」に対応する複数の肉声又は機械
音声）を格納しておけば、情報処理装置１０は、所定文字列を構成する各文字を、その文字に対応する複数の音声ファイルのうち所定規則により選択される音声ファイルで読み上げる（スピーカに出力する）ことができるので、ゆらぎをもたせた音声出力が可能となる。
【００３９】
本発明は、その精神または主要な特徴から逸脱することなく、他の様々な形で実施することができる。このため、上記の実施形態はあらゆる点で単なる例示にすぎない。これらの記載によって本発明が限定的に解釈されるものではない。
【産業上の利用可能性】
【００４０】
本発明によれば、同じ字でも太さとかはね方などを異ならせて所定文字を出力することで、手書き文字と同様の表現ができる。例えば、同じ字でも太さとかはね方が微妙に違うように宛名や住所などを表現することが可能となることから、それがゆらぎとなって、顧客の注意を引きつけ、ＤＭ（ダイレクトメール）等の閲読率を高めることが期待できる。例えば、年賀状などの宛名印刷アプリケーションなどの各種アプリケーションプログラムにも適用することが可能である。
【図面の簡単な説明】
【００４１】
【図１】本発明の一実施形態である文字列表示システムの概略構成を説明するための図である。
【図２】本発明の一実施形態である文字列表示システムの動作を説明するためのフローチャートである。
【符号の説明】
【００４２】
１０      情報処理装置
２０      出力手段
３０      記憶手段
【図１】
2005345899.tif 000003
【図２】
2005345899.tif 000004